(57)【要約】【課題】  メダル受け皿のメダル収納枚数を容易に増やすことができるようにする。【解決手段】  スロットマシン１０は、絵柄を描かれた回転可能な複数の回胴リール２１と、該回胴リール２１の回転によって絵柄が揃ったとき本体１１のメダル排出口２２から排出されたメダルを受けるようになっており、メダル受け皿５１は、底板５４、両側板５５５６及び前板５７で形成されて本体１１に設けたメダル受け皿本体５２と、メダル受け皿本体５２の底板６４及び両側板６１６２の外面に沿って手前に引き出し可能にメダル受け皿本体５２に設けた拡張皿５３と、を備え、メダル受け皿本体５２の前板５７は、拡張皿５３を引き出したとき、手前側に傾倒可能になっている。【選択図】      図２
2005204699.tif 000002
【特許請求の範囲】
【請求項１】
絵柄を描かれた回転可能な複数の回胴体と、該回胴体の回転によって前記絵柄が揃ったとき本体のメダル排出口から排出されたメダルを受けるメダル受け皿とを備えた遊技機において、
前記メダル受け皿は、
底板、両側板及び前板で形成されて前記本体に設けたメダル受け皿本体と、
前記メダル受け皿本体の底板及び両側板の外面に沿って手前に引き出し可能に前記メダル受け皿本体に設けた拡張皿と、を備え、
前記メダル受け皿本体の前板は、前記拡張皿を引き出したとき、手前側に傾倒可能であることを特徴とする遊技機。
【請求項２】
手前側に倒れた前記前板の上面と、前記底板の上面とは、ほぼ同一面であることを特徴とする請求項１に記載の遊技機。
【発明の詳細な説明】
【技術分野】
【０００１】
本発明は、スロットマシン等の遊技機に関し、特に、メダル収容枚数を変えることのできるメダル受け皿を備えた遊技機に関する。
【背景技術】
【０００２】
一般に、遊技機、例えばスロットマシンは、遊戯者がスタートレバーを操作すると、複数種類の絵柄からなるシンボルマークを外周回転方向に多数描かれた横３列の回動体である回胴リールが各々回転を開始し、その後、遊技者が適宜のタイミングで３個のストップボタンを各々押すと、その押したタイミングに応じて、各ボタンに対応する回胴リールが順次停止して、各回胴リールに備えたシンボルマークの内、所定の絵柄同士が一致している場合に、「当たり」となって、多数枚の遊技メダル（以下、単に「メダル」とも言う）をメダル受け皿に排出するようになっている（例えば、特許文献１参照）。
【０００３】
ところで、メダル受け皿は、比較的小さく形成してある。その理由として、スロットマシンが多数台配備された遊技店では、複数台が並ぶ各列を複数列平行に配置するとともに、遊技店内のスペースを有効利用してできるだけ多くのスロットマシンを配備してあること、スロットマシンから払い出される遊技メダルが見かけ上、多いように見せかけて、店のサービスをアピールすること等が挙げられる。
【０００４】
一方、近年のスロットマシンは、遊技中、ビッグボーナスと呼ばれる特別役に１回当たると、例えば、約３５０枚ないし約４００枚の遊技メダルを排出するようになっている。このような、ビッグボーナスに連続して当たった場合、上述したような比較的小さなメダル受け皿では、排出された多数枚の遊技メダルで直ぐに満杯になり、メダルがメダル受け皿から溢れ出て床に散らばるおそれがある。このような場合、遊技者は、遊技メダルがメダル受け皿から溢れ出ない内に、メダルをメダル収容箱（いわゆる、ドル箱）に移し替えていた。このため、遊技を一旦中断しなければならなかった。特に、上述のようにビッグボーナスが連続するような場合、遊技者は、メダル収容箱を一方の手で把持しながら、他方の手でメダル受け皿内のメダルをメダル収容箱に掻き出して移し替えるという動作を頻繁に行う必要があり、その動作を行う度に遊技を中断しなければならなかった。
【０００５】
また、メダル収容箱は、一般に約１０００枚しか収容することができないため、ビッグボーナスの連続当選時等には、比較的短時間で満杯になりやすかった。このため、遊技者は、メダルを移し替えたメダル収容箱を、遊技店の床面上やスロットマシン上部の箱収容スペース内に置いた後、別のメダル収容箱に再度メダルを移し替える動作を繰り返し行わなければならず、この場合においても、遊技を中断しなければならなかった。
【０００６】
さらに、いわゆるアシストタイム（ＡＴ）に当たった場合には、メダルが連続して排出されるため、遊技者は、メダル収容箱へのメダルの移し替えを頻繁に行わなければならなくなって、上述と同様に、遊技を一旦中断しなければならなかった。特に、閉店間際に上記ＡＴのような役に当たった場合、遊技者にとっては、メダル収容箱にメダルを移し替えに費やす時間さえも惜しくなり、メダル受け皿からメダル収容箱へのメダルの移し替えを急いで、慌てて、床にメダルを落としたり、最悪の場合には、メダル収容箱を把持している手が滑って、メダル収容箱を床に落としたりすることもあった。
【０００７】
このような問題の解決策の１つとして、メダル受け皿を大きくしてメダルの収納枚数を増やし、なるべく、遊技を中断しないようにすることが考えられる。その一例として、図４に示すように、メダル受け皿１０１を、スロットマシンの前面に固定した固定受け皿１０２と、この固定受け皿１０２の前方にこの固定受け皿１０２に対して引き出し可能に接続される可動受け皿１０３とで構成したものがある（例えば、特許文献２）。
【０００８】
【特許文献１】特開２００３−２７５３７２号公報（図１乃至図３参照）
【特許文献２】実開平３−５４７５号公報（図１参照）
【発明の開示】
【発明が解決しようとする課題】
【０００９】
ところが、図４に示すメダル受け皿１０１は、固定受け皿１０２の内側に可動受け皿１０２を引き出し可能に設けてあるので次の問題があった。
【００１０】
第１に、可動受け皿１０２にメダルが乗っている状態で可動受け皿１０２を引き出すので、可動受け皿１０２を円滑に引き出すことができなかった。第２に、スロットマシンのメダル排出口付近に溜まっているメダルを少なくして、メダルの排出が速やかに行えるように、可動受け皿１０２を引き出した状態でメダルを手前側に掻き寄せるとき、可動受け皿１０２の先端１０２ａにメダルが引っ掛かってメダルを手前側に掻き寄せにくかった。
【００１１】
本発明は、メダル受け皿のメダル収納枚数を加減できるようにして、メダル受け皿からメダル収容箱へのメダル移し替え回数を少なくし、遊技者が遊技に集中できるようにした遊技機を提供することを目的としている。
【００１２】
本発明は、メダル受け皿のメダル収納枚数を増やすとき、円滑に拡張皿を移動できるようにした遊技機を提供することを目的としている。
【００１３】
本発明は、メダル受け皿のメダル収納枚数を増やしたとき、メダルを手前側に掻き寄せやすくした遊技機を提供することを目的としている。
【課題を解決するための手段】
【００１４】
請求項１に係る発明は、絵柄を描かれた回転可能な複数の回胴体（２１）と、該回胴体（２１）の回転によって前記絵柄が揃ったとき本体（１１）のメダル排出口（２２）から排出されたメダルを受けるメダル受け皿とを備えた遊技機において、前記メダル受け皿（５１）は、底板（５４）、両側板（５５）（５６）及び前板（５７）で形成されて前記本体（１１）に設けたメダル受け皿本体（５２）と、前記メダル受け皿本体（５２）の底板（６４）及び両側板（６１）（６２）の外面に沿って手前に引き出し可能に前記メダル受け皿本体（５２）に設けた拡張皿（５３）と、を備え、前記メダル受け皿本体（５２）の前板（５７）は、前記拡張皿（５３）を引き出したとき、手前側に傾倒可能であることを特徴とする遊技機（１０）である。
【００１５】
請求項２に係る発明は、手前側に倒れた前記前板（５７）の上面（５７ａ）と、前記底板（５４）の上面（５４ｂ）とは、ほぼ同一面であることを特徴とする請求項１に記載の遊技機（１０）である。
【００１６】
なお、括弧内の符号は、便宜的に、図面と対照し易くするために付したものであって、本発明の構成をなんら限定するものではない。
【発明の効果】
【００１７】
請求項１に係る遊技機は、拡張枠によって、メダル受け皿のメダル収納枚数を加減できるようにしてあるので、メダル受け皿からメダル収容箱へのメダルの移し替え回数を少なくして、遊技者が遊技に集中することができて、遊技性を高めることができる。また、拡張皿を、メダル受け皿本体の底板及び両側板の外面に沿って手前に引き出し可能になっているので、拡張皿５３には、従来と異なってメダルが乗ることがなく、拡張皿５３を円滑、かつ速やかに引き出すことができる。
【００１８】
請求項２に係る遊技機は、手前側に倒れた前板の上面と、底板の上面とが、ほぼ同一面になるので、従来と異なりメダルを手前側に掻き寄せるとき引っ掛かる部分がなく、容易に掻き寄せることができて、メダル排出口付近に溜まっているメダルを速やかに取り除くことができる。
【発明を実施するための最良の形態】
【００１９】
以下、本発明の遊技機の実施形態として、遊技場に設置してあるスロットマシンを図１乃至図３に基づいて説明する。
【００２０】
図１は、本発明の遊技機の実施形態としてのスロットマシンの外観斜視図である。図２は、メダル受け皿の使用手順を説明するためのメダル受け皿の斜視図である。（ａ）は、通常の使用状態を示す図である。（ｂ）は、メダル収容枚数を増やすため、拡張皿を手前側に引き出しているときの図である。（ｃ）は、拡張皿を手前側に引き出した図である。図３は、メダル受け皿を引き出すときの断面図である。（ａ）は、図２（ａ）におけるＡ−Ａ矢視断面図である。（ｂ）は、図２（ｂ）におけるＢ−Ｂ矢視断面図である。（ｃ）は、図２（ｃ）におけるＣ−Ｃ矢視断面図である。
【００２１】
（スロットマシンの構造の説明）
スロットマシン１０は、図１に示すように、本体１１と、本体１１の一方の側端に開閉自在に取り付けられて遊技者に面する前扉１２とを備えている。
【００２２】
前扉１２は、図１の上下方向における略中央部分に操作パネル１３を有し、操作パネル１３の上方及び下方に、液晶表示パネル１４及びメダル受け皿５１を夫々有している。メダル受け皿５１は、メダル排出口２２に対向する位置に設けてある。
【００２３】
液晶表示パネル１４の上方には、クレジット枚数、ベット（ＢＥＴ）枚数、及びメダルの排出状況等を表示する遊技状態表示部１５を設けてある。操作パネル１３には、上面にベットボタン１７及びメダル投入部１８を配置してあり、前面にスタートレバー１９及び３個のストップボタン３０を配置してある。なお、透過窓１６から液晶表示パネル１４内方に見える横３列の回胴リール２１は、回転、停止して現出する図柄等が透過窓１６を通して遊技者側から明確に視認されるようになっている。また、横３列の回胴リール２１の図柄が描いてある外周回転面が透過窓１６の裏面側に対向するように配置してある。なお、透過窓１６は、回胴リール２１を外部から確実に保護するように、透明な硬質プラスチック板などで形成されている。透過窓１６とメダル受け皿５１との間には、遊技の名称を表示した下部パネル３９を設けてある。
【００２４】
（スロットマシンの動作説明）
スロットマシン１０は、遊技者がメダル投入部１８にメダルを投入してスタートレバー１９を操作すると、横３列の回動体である回胴リール２１が各々回転を開始し、その後、遊技者が適宜のタイミングで３個のストップボタン３０を各々押すと、その押したタイミングに応じて、各ボタン３０に対応する回胴リール２１が順次停止して、各回胴リール２１に備えたシンボルマークの内、所定の絵柄同士が一致している場合に、「当たり」となって、多数枚の遊技メダル（以下、単に「メダル」とも言う）を排出口２２からメダル受け皿５１に排出する。
【００２５】
（メダル受け皿の構造の説明）
メダル受け皿５１は、メダル受け皿本体５２と、拡張皿５３とで構成されている。メダル受け皿本体５２は、底板５４、左側板５５、右側板５６及び前板５７で形成されてスロットマシンの本体１１に設けてある。両側板５５，５６と前板５７との外面には、拡張皿５３を引き出し自在に設けてある。前板５７は、底板５４、左側板５５、右側板５６の先端に位置して、底板５４の先端に手前側に傾倒できるよう蝶番６７によって設けてある。
【００２６】
拡張皿５３は、左側板６１、右側板６２、前板６３及び底板６４で形成してある。図２（ｃ）に示すように、メダル受け皿本体５２の両側板５５，５６の外面５５ａ，５６ａには、拡張皿５３の引き出し方向に沿って溝６５を形成してあり、拡張皿５３の両側板６１，６２の内面には、引き出し方向に沿って突条６６を形成してある。溝６５と突条６６とは互いに係合して、拡張皿５３がメダル受け皿本体５２に対して手前側に引き出しできるようになっている。なお、メダル受け皿本体５２の左側板５５の溝と、拡張皿５３の右側板６２の突条は、図示省略してある。
【００２７】
（メダル受け皿の使用手順の説明）
メダル受け皿５１にメダルが排出されて、ある程度の枚数が溜まると、遊技者は、図２（ｂ）に示すように、拡張皿５３を矢印Ｄ方向（遊技者の手前側）に引き出す。拡張皿５３は、溝６５と突条６６との案内によって手前側に引き出される。あるいは、遊戯中に、例えば、前述したビッグボーナスが当たって、多数枚のメダルがメダル受け皿５１に排出され、メダルがメダル受け皿５１から溢れて床に落ちるおそれがあるとき、拡張皿５３を手前側に引き出して、メダル受け皿５１のメダル収納容積を広くしてメダル収納枚数を増やす。
【００２８】
拡張皿５３は、メダル受け皿本体５２の外面５２ａに設けてあるので、従来の異なってメダルが乗っていないので、遊技者が速やか、かつ円滑に引き出すことができる。
【００２９】
メダル受け皿本体５２の前板５７は、図３（ａ）（ｂ）（ｃ）に示すように、拡張皿５３の引き出しにともない、メダル受け皿本体５２に収納されているメダルに押されて、あるいは遊技者に指先で押されて、拡張皿５３の前板６３に受け止められながら倒れていく。拡張皿５３が所定の距離引き出されると、メダル受け皿本体５２の前板５７は、拡張皿５３の底板６４に倒れて受け止められる。倒れたときの前板５７の内面（上面）５７ａと底板５４の上面５４ｂとが同一面になる。倒れた前板５７は、内面５７ａに形成してあるつまみ突部６８を掴んで起こすことができるようになっている。
【００３０】
なお、前板５７は、メダルによって、あるいは遊技者によって倒されるようになっているが、ばねを設けておき、ばねによって倒れるようになっていてもよい。
【００３１】
以上の構成において、本実施形態のスロットマシン１０は、拡張皿５３をメダル受け皿本体５２から引き出してメダル受け皿５１のメダル収納枚数を加減できるようになっているので、メダル受け皿からメダル収容箱へのメダル移し替え回数を少なくして、遊技者が遊技に集中することができて遊戯性を高めることができる。
【００３２】
本実施形態のスロットマシン１０は、拡張皿５３が、メダル受け皿本体５２の底板５４及び両側板５５，５６の外面５４ａ，５５ａ、５６ａに沿って手前に引き出し可能にメダル受け皿本体５２に設けてあるので、拡張皿５３に従来と異なってメダルが乗ることがなく、拡張皿５３を円滑、かつ速やかに引き出すことができる。
【００３３】
メダル受け皿本体５２の手前側に倒れた前板５７の内面（上面）５７ａと、底板５４の上面５４ｂとが、ほぼ同一面になるので、従来と異なりメダルを手前側に掻き寄せるとき引っ掛かる部分がなく、容易に掻き寄せることができて、メダル排出口２２付近に溜まっているメダルを速やかに少なくすることができる。
【図面の簡単な説明】
【００３４】
【図１】本発明の遊技機の実施形態としてのスロットマシンの外観斜視図である。
【図２】メダル受け皿の使用手順を説明するためのメダル受け皿の斜視図である。（ａ）は、通常の使用状態を示す図である。（ｂ）は、メダル収容枚数を増やすため、拡張皿を手前側に引き出しているときの図である。（ｃ）は、拡張皿を手前側に引き出した図である。
【図３】メダル受け皿を引き出すときの断面図である。（ａ）は、図２（ａ）におけるＡ−Ａ矢視断面図である。（ｂ）は、図２（ｂ）におけるＢ−Ｂ矢視断面図である。（ｃ）は、図２（ｃ）におけるＣ−Ｃ矢視断面図である。
【図４】従来のメダル受け皿の断面図である。
【符号の説明】
【００３５】
１０      スロットマシン（遊技機）
１１      本体
２１      回胴リール（回胴体）
２２      排出口
５０      
５１      メダル受け皿
５２      メダル受け皿本体
５２ａ    メダル受け皿本の外面
５３      拡張皿
５４      底板
５４ａ    外面
５４ｂ    上面
５５      左側板
５５ａ    外面
５６      右側板
５６ａ    外面
５７      前板
５７ａ    内面（上面）
６１      左側板
６２      右側板
６３      前板
６４      底板
６５      溝
６６      突条
６７      蝶番
６８      つまみ突部
【図１】
2005204699.tif 000003
【図２】
2005204699.tif 000004
【図３】
2005204699.tif 000005
【図４】
2005204699.tif 000006